(57)【要約】      （修正有）【課題】効率的に建設することができる、耐久性、意匠性に優れたログハウスを提供する。【解決手段】ログ材１１は、両方の側面が凸曲面を形成しており、ノッチ１２は、上下、左右から切り欠かれてスクエアノッチ部１３とラウンドノッチ部１４とが形成されている。スクエアノッチ部１３は、切り欠かれた芯部が上下面、左右面がそれぞれ平行になるように形成されている。また、ラウンドノッチ部１４は、スクエアノッチ部１３の側面と面一となるようにログ材１１の下端に向けて拡幅するように切り欠かれており、上下に交差して重なりあうログ材１１，１１の凸曲面を形成する側面が嵌合するようになされている。【選択図】図３
2009030419.tif 000002
【特許請求の範囲】
【請求項１】
端部近傍にノッチが設けられたログ材が水平に積み上げられて壁部が形成されるログハウスであって、
前記ログ材は、少なくとも片方の側面が凸曲面を形成しており、前記ノッチは、上下、左右から切り欠かれてスクエアノッチ部とラウンドノッチ部とが形成されており、
前記スクエアノッチ部は、切り欠かれた芯部が上下面、左右面がそれぞれ平行になるように形成されており、
前記ラウンドノッチ部は、前記スクエアノッチ部の側面と面一となるように前記ログ材の下端に向けて拡幅するように切り欠かれており、上下に交差して重なりあうログ材の凸曲面を形成する側面が嵌合するようになされていることを特徴とするログハウス。
【請求項２】
前記スクエアノッチ部は、前記ログ材の上下にそれぞれログ材の成の１／４の切り込みがなされており、前記ラウンドノッチ部は、前記ログ材の成の１／２が前記ログ材の下に積み重ねられるログ材の側面の凸曲面に沿うように切り欠かれていることを特徴とする請求項１記載のログハウス。
【発明の詳細な説明】
【技術分野】
【０００１】  本発明は、建設の効率がよく、耐久性に優れたログハウスに関する。
【背景技術】
【０００２】  従来、ログハウスは丸太材の下面に、交差する丸太材に断面形状に合わせた円弧状の切り欠きノッチ部を設けてログ材とし、ログ材を、ノッチ部を上下に合わせながら隙間無く交差するように積み重ねていた。このように構成して上部からの雨水が壁体の表面を流れ落ちるように形成し、ログ材とログ材の間に雨水が入ることを防いでいた。【０００３】  しかし、このような従来のログハウスでは、交差するログ材同士の位置決めが難しく、効率的な建設ができなかった。そこで、交差部の位置決めが容易にできるように、図４に示すように、ログ材１１の端部を上下、左右から切り欠かき、切り欠かれた芯部が上下面、左右面がそれぞれ平行になるように形成されたスクエアノッチ部１３を設け、芯部の両側面の両端からログ材の長手方向に約４５度の角度で切り欠き１９を設け、スクエアノッチ部１３により位置決めができ、かつ、切り欠き１９を設けることにより、上下に重なるログ材１１同士が密着するようになされていた。しかし、このように構成したのでは、約４５度の角度で設けられた切り欠き部１９の中央部が壁面に露出することになっていた。【０００４】  この欠点を解消する技術として、ログ材である丸太材の上下、左右から上下面、左右面がそれぞれ平行になるように芯部を形成し、その芯部の側面と面一に、ログ材の上端に向けて切り欠かきを設け、上下に交差して重なりあうログ材の側面の凸曲面が嵌合するように設けられた凹曲面部を有するログ材の仕口構造が開示されている。【０００５】
【特許文献１】実開平１−１６８７０５
【発明の開示】
【発明が解決しようとする課題】
【０００６】  上述の技術によれば、ログ材交差部の位置決めが簡単にでき、さらに、切り欠き部が壁面に露出することのないログハウスを形成することができる。しかしながら、凹曲面部が上に向かって開いた形状となるため、壁面を落下する雨水を凹曲面部が受ける構造となり、壁面の雨仕舞いに特に配慮が必要であった。
【課題を解決するための手段】
【０００７】  ログハウスは、水平方向に延びる複数のログ材が高さ方向に積み重ねられて外壁部を形成し、二つの外壁部の交差部分において、そのログ材同士が交差した状態で重なり合うとともに、ログ材の端部が互いに相手側の外壁部の表面よりも外側へ突出し、且つ、これらのログ材の端部近傍に、その端部近傍の部分を切り欠くことにより形成された凹部であるノッチが設けられ、ノッチ同士を嵌合させることにより、交差する二つの外壁部を形成するログ材を互いに密着させている。このようなログハウスの基本的な構造を鋭意研究開発することによって、上述の課題を解決することのできる、独自のログハウスを完成することができた。【０００８】  つまり、本発明は、（１）端部近傍にノッチが設けられたログ材が水平に積み上げられて壁部が形成されるログハウスであって、前記ログ材は、少なくとも片方の側面が凸曲面を形成しており、前記ノッチは、上下、左右から切り欠かれてスクエアノッチ部とラウンドノッチ部とが形成されており、前記スクエアノッチ部は、切り欠かれた芯部が上下面、左右面がそれぞれ平行になるように形成されており、前記ラウンドノッチ部は、前記スクエアノッチ部の側面と面一となるように前記ログ材の下端に向けて拡幅するように切り欠かれており、上下に交差して重なりあうログ材の凸曲面を形成する側面が嵌合するようになされていることを特徴とするログハウスである。【０００９】  また、本発明は、（２）上記（１）のログハウスにおいて、前記スクエアノッチ部は、前記ログ材の上下にそれぞれログ材の成の１／４の切り込みがなされており、前記ラウンドノッチ部は、前記ログ材の成の１／２が前記ログ材の下に積み重ねられるログ材の側面の凸曲面に沿うように切り欠かれていることを特徴とするログハウスである。
【発明の効果】
【００１０】  すなわち、本発明によれば、ノッチ部においてログ材の切り欠き部が露出することがなく、また、壁部を伝う雨水を外壁の外面で効果的に流下させることのできるログハウスを提供することができる。
【発明を実施するための最良の形態】
【００１１】  以下、本発明の実施の形態を、図面を参照して説明する。図１は本発明のログハウスを示す斜視図であり、図２は本発明のログハウスの壁体の構成を示す斜視図であり、図３は本発明のログハウスに使用するログ材の正面図であり、図４は従来のログハウスの壁体の構成を示す斜視図である。【００１２】  図１、図２に示すように、ログハウス１は、水平方向に延びる複数のログ材１１が高さ方向に積み重ねられて外壁部２を形成し、二つの外壁部２，２の交差部分において、そのログ材１１同士が交差した状態で重なり合って形成されている。また、ログ材１１の端部は互いに相手側の外壁部２の表面よりも外側へ突出している。
ログ材１１の端部近傍に、その端部近傍の部分を切り欠くことにより形成された凹みであるノッチ１２が設けられ、ノッチ１２同士を嵌合させることにより、交差する二つの外壁部２，２を形成するログ材が互いに密着させている。【００１３】  図２に示すように、ログ材１１は、両方の側面が凸曲面を形成しており、ノッチ１２は、上下、左右から切り欠かれてスクエアノッチ部１３とラウンドノッチ部１４とが形成されている。スクエアノッチ部１３は、切り欠かれた芯部が上下面、左右面がそれぞれ平行になるように形成されている。また、ラウンドノッチ部１４は、スクエアノッチ部１３の側面と面一となるようにログ材１１の下端に向けて拡幅するように切り欠かれており、上下に交差して重なりあうログ材１１，１１の凸曲面を形成する側面が嵌合するようになされている。【００１４】  このように形成することにより、上下に１／４ずつの切り込み部分・スクエアノッチ部１３が嵌合するので、上下のログ材１１の交差部分の位置決めが容易になり、建設の作業時間を短縮することができる。また、ラウンドノッチ部１４は下側のログ材１１の凸曲面にあわせた形状に切り欠かれているために、雨水は下段のログ材１１の凸曲面に沿ってスムースに流れ落ち、滞留することがないためログ材１１の耐久性の向上を図ることができる。さらに、切り欠かれた面が外部から見えることは無く、ログ材１１の耐久性の向上を図ることができるとともに美観上も優れたものになる。
【実施例】
【００１５】  ログ材１１は、両側に凸曲面を有するものを採用した。スクエアノッチ部１３を、ログ材１１の上下にそれぞれログ材１１の成の１／４の切り込みを行った。スクエアノッチ部１３の幅は、ログ材１１の両側からそれぞれログ材１１の上端部１５、下端部１６の重なり幅までを切り欠いた。また、ラウンドノッチ部１４は、ログ材１１の成の１／２がログ材１１の下に積み重ねられるログ材１１の側面の凸曲面に沿うようにログ材の両側面を切り欠いた。【００１６】  ログ材１１の上端部１５と下端部１６とは上下で面同士が接するように平面に加工されている。また、上端部１５には２列の凸条１７，１７が設けられており、下端部１６には２列の凹条１８，１８が設けられており、上に位置するログ材１１の凹条１８，１８と下に位置するログ材１１の凸条１７，１７とは互いに嵌合する実構造となされている。【００１７】  ログ材１１をこのように形成することにより、外壁部２、２の交差部において、約４５度の角度で設けられた切り欠き部１９の中央部が壁面に露出することはなく、また、ラウンドノッチ部１４が下に向かって開いた形状となるため、壁面を落下する雨水を外壁部の外に流す構造となり、壁面の雨仕舞いが容易となる。さらに、ログ材１１に設けた凹条１８，１８と凸条１７，１７とは互いに嵌合するため、外壁部２の気密性を向上し、雨水の浸入も確実に防ぐことができる。【００１８】  以上、本発明の実施例を図面により説明したが、本発明の具体的構成はこの実施例に限  られるものではなく、本発明の要旨を逸脱しない範囲の設計の変更があっても本発明に  含まれる。【００１９】  例えば、ログ材の断面は両側に凸曲面を有するものだけではなく、片面が凸曲面を有し、他面が平面を有するものであってもよい。
【産業上の利用可能性】
【００２０】  本発明によれば、降雨量が多い日本に適した、耐久性に優れ、意匠的にも優れたログハウスを提供することができる。
【図面の簡単な説明】
【００２１】
【図１】本発明のログハウスを示す斜視図である。
【図２】本発明のログハウスの壁体の構成を示す斜視図である。
【図３】本発明のログハウスに使用するログ材の正面図である。
【図４】従来のログハウスの経壁体の構成を示す斜視図である。
【符号の説明】
【００２２】１    ログハウス
２    外壁部
１１  ログ材
１２  ノッチ部
１３  スクエアノッチ部
１４  ラウンドノッチ部
【図１】
2009030419.tif 000003
【図２】
2009030419.tif 000004
【図３】
2009030419.tif 000005
【図４】
2009030419.tif 000006